(57)【要約】【課題】本発明は、肉眼で認知することのできない秘匿情報を有する情報記録媒体を印刷物に重ね合わせて配置する情報記録媒体を備えた物品、及びその物品の印刷物の色や柄に影響されずに、情報記録媒体の秘匿情報の有無や秘匿情報の情報再生（読み取り）が確実に行われる読取装置を提供することを目的とする。【解決手段】基材表面に、格子間隔および格子角度が設定されてなる回折格子を有する微小な複数個の目視による認識が不能な秘匿情報を備えた回折格子要素群が形成されており、その回折格子要素群からの回折格子の再生情報により所定の秘匿情報が読み取り検出できる情報記録媒体が印刷物の表面に配置されてなる情報記録媒体を有する物品において、前記印刷物を構成する画像の少なくとも一部が紫外光もしくは赤外光を吸収するインキにより形成されていることを特徴とする。【選択図】図２
2007196608.tif 000002
【特許請求の範囲】
【請求項１】
基材表面に、格子間隔および格子角度が設定されてなる回折格子を有する微小な複数個の目視による認識が不能な秘匿情報を備えた回折格子要素群が形成されており、その回折格子要素群からの回折格子の再生情報により所定の秘匿情報が読み取り検出できる情報記録媒体が印刷物の表面に配置されてなる情報記録媒体を有する物品において、
前記印刷物を構成する画像の少なくとも一部が紫外光もしくは赤外光を吸収するインキにより形成されていることを特徴とする情報記録媒体を備えた物品。
【請求項２】
前記情報記録媒体の裏面に、紫外光もしくは赤外光を吸収する吸収層を有することを特徴とする請求項１記載の情報記録媒体を備えた物品。
【請求項３】
前記情報記録媒体と印刷物との間に、紫外光もしくは赤外光を吸収する接着層を有することを特徴とする請求項１記載の情報記録媒体を備えた物品。
【請求項４】
前記印刷物の基材が、紫外光もしくは赤外光を吸収することを特徴とする請求項１記載の情報記録媒体を備えた物品。
【請求項５】
前記印刷物を構成する画像が、パターン、文字、絵柄、写真などからなることを特徴とする請求項１〜４のいずれか１項に記載の情報記録媒体を備えた物品。
【請求項６】
請求項１〜５のいずれか１項に記載の情報記録媒体を有する物品における、秘匿情報を備えた情報記録媒体のその秘匿情報を読み取る読取装置であって、
紫外光あるいは赤外光を照射する光源と、
この光源から回折格子要素群への照明光に基づく回折光の組合せによって検出される秘匿情報を読み取るための秘匿情報読み取り手段と、
この秘匿情報読み取り手段からの情報に基づいて真贋の判定を行う判定手段と、を少なくとも具備していることを特徴とする情報記録媒体の読取装置。
【請求項７】
前記光源を複数個有することを特徴とする請求項６記載の情報記録媒体の読取装置。
【発明の詳細な説明】
【技術分野】
【０００１】
本発明は、肉眼で認知することのできない秘匿情報を有する情報記録媒体を印刷物に重ね合わせて配置する情報記録媒体を備えた物品及びその物品の印刷物の色や柄に影響されずに、情報記録媒体の秘匿情報の有無や秘匿情報の情報再生（読み取り）が確実に行われる読取装置に関する。
【背景技術】
【０００２】
回折格子を有する情報記録媒体の真贋を検証機を用いて判定する方法として、特定の格子方向及び空間周波数を有する回折格子により形成された微細な回折格子パターンの組み合わせにより、情報をコード化記録し、パターン情報の部分へレーザー光等を照射して回折光を得、それをセンサーで読み出すという方法は公知である。
また、回折格子等の回折構造の有無によって構成されたバーコードを、入射光に対して所定の位置に設置された受光器に回折光を発生するように記録させ、レーザー光等で走査して回折像を受光し、出力波形を取り込んでコードを認識し、真偽を判定するという方法も知られている。
【０００３】
しかし、これらのようにして得られる回折格子を有する情報記録媒体は、特定の領域に情報を記録していることから、拡大鏡などの観察装置で容易に情報を記録している領域を発見することができ、レーザー光を照射する角度さえ解ってしまえば、その情報を基に模造品を作成することも可能となってしまう。
このような問題を解決するために、目視による認識が不能な大きさに形成され、回折構造の単位画像によって構成されている、認証コードを記録し、レーザー光を用いた読取装置などを用いてその情報を読み取って真贋判定を行う方法が提案されている。（特許文献１参照）
しかしながら、このような方法で真贋の判定を行う場合、判定対象となる情報記録媒体の回折格子パターンが、色や柄が配されている物の上に形成されたような場合には、レーザー光と回折格子パターンが転写されている基材部分の背景色や柄との組み合わせによっては、情報を明確に読み取ることが困難となってしまう。
【特許文献１】特開２００３−２１５３１９号公報
【発明の開示】
【発明が解決しようとする課題】
【０００４】
本発明は、上記の技術的背景を考慮してなされたものであって、肉眼で認知することのできない秘匿情報を有する情報記録媒体を印刷物に重ね合わせて配置する情報記録媒体を備えた物品及びその物品の印刷物の色や柄に影響されずに、情報記録媒体の秘匿情報の有無や秘匿情報の情報再生（読み取り）が確実に行われる読取装置を提供することを目的とする。
【課題を解決するための手段】
【０００５】
上記の目的を達成するために、すなわち、請求項１記載の発明は、基材表面に、格子間隔および格子角度が設定されてなる回折格子を有する微小な複数個の目視による認識が不能な秘匿情報を備えた回折格子要素群が形成されており、その回折格子要素群からの回折格子の再生情報により所定の秘匿情報が読み取り検出できる情報記録媒体が印刷物の表面に配置されてなる情報記録媒体を有する物品において、
前記印刷物を構成する画像の少なくとも一部が紫外光もしくは赤外光を吸収するインキにより形成されていることを特徴とする情報記録媒体を備えた物品である。
【０００６】
また、請求項２記載の発明は、前記情報記録媒体の裏面に、紫外光もしくは赤外光を吸収する吸収層を有することを特徴とする請求項１記載の情報記録媒体を備えた物品である。
【０００７】
また、請求項３記載の発明は、前記情報記録媒体と印刷物との間に、紫外光もしくは赤外光を吸収する接着層を有することを特徴とする請求項１記載の情報記録媒体を備えた物品である。
【０００８】
また、請求項４記載の発明は、前記印刷物の基材が、紫外光もしくは赤外光を吸収することを特徴とする請求項１記載の情報記録媒体を備えた物品である。
【０００９】
また、請求項５に記載の発明は、前記印刷物を構成する画像が、パターン、文字、絵柄、写真などからなることを特徴とする請求項１〜４のいずれか１項に記載の情報記録媒体を備えた物品である。
【００１０】
また、請求項６記載の発明は、請求項１〜５のいずれか１項に記載の情報記録媒体を有する物品における、秘匿情報を備えた情報記録媒体のその秘匿情報を読み取る読取装置であって、
紫外光あるいは赤外光を照射する光源と、
この光源から回折格子要素群への照明光に基づく回折光の組合せによって検出される秘匿情報を読み取るための秘匿情報読み取り手段と、
この秘匿情報読み取り手段からの情報に基づいて真贋の判定を行う判定手段と、を少なくとも具備していることを特徴とする情報記録媒体の読取装置である。請求項６に記載の発明によれば、照明光源として、紫外光あるいは赤外光光を発する光源を用いることで、微小な回折格子要素の複数個が配置されている物品の色がいかなる色であっても、また、回折格子要素群の転写されている物品にいかなる細かさの柄が配されていても、それらの影響を受けることなく現出される秘匿情報を読み取ることが可能である。
【００１１】
また、請求項７記載の発明は、前記光源を複数個有することを特徴とする請求項６記載の情報記録媒体の読取装置である。請求項７記載の発明によれば、前記複数個の回折格子要素のうち特定の回折格子要素は、その回折格子要素に対し特定の光源から光照射して前記秘匿情報の一部を再現するものであり、他の回折格子要素は、この回折格子要素に対し前記特定の光源とは異なる方向に配置された光源から光照射して前記秘匿情報の一部を再現するものであり、回折格子要素に応じて，秘匿情報の再現に要する光源が異なるため、その偽造が一層困難となる。
【発明の効果】
【００１２】
本発明により、肉眼で認知することのできない秘匿情報を有する情報記録媒体を印刷物に重ね合わせて配置する情報記録媒体を備えた物品及び紫外光あるいは赤外光を発する光源で照明することで、真贋の判定を行おうとする情報記録媒体の秘匿情報の有無や秘匿情報の情報再生（読み取り）が、その物品の印刷物の色や柄に影響されずに確実に行われる読取装置を提供することができる。
【発明を実施するための最良の形態】
【００１３】
以下、本発明の実施形態の一例を図面を参照して説明する。図１〜図６は、本発明の一実施例としての情報記録媒体を備えた物品の模式断面図である。図７は、本発明における情報記録媒体の一例を示す模式斜視図である。図８は、本発明における秘匿情報の読取方法の一例を示す説明図である。図９は、本発明における秘匿情報の読取方法の他の例を示す説明図である。図１０は、本発明における秘匿情報の読取方法のさらに別の例を示す説明図である。
【００１４】
本発明の情報記録媒体を備えた物品は、図１で示すように、秘匿情報を保持する情報記録媒体で構成されるものである。情報記録媒体を構成する材料は可視光及び紫外，赤外光に対して高い透過率をもっている。情報記録媒体１２は、保持する秘匿情報によって印刷物の基材１１の真正を照明するものである。印刷物の基材１１が紙幣や有価証券、あるいは各種証明書類等である場合には、秘匿情報の存在によって印刷物の基材１１そのものの真正が証明でき、そうでない場合には偽造と判別できる。また、印刷物の基材１１が包装材料である場合には、この基材（包装材料）１１で包装された内容物の真偽を判別することができる。
【００１５】
この秘匿情報は、肉眼で読み取ることができず、特定の検知装置を利用して読み取ることができるもので、情報記録媒体を備えた物品１は次のような形態のものである。
【００１６】
すなわち、情報記録媒体１２は、少なくとも光反射層１２４を具備している。この光反射層１２４は、後述するように、凹凸の形態を有しており、この凹凸で反射型回折格子を構成し、その反射回折光の方向を前記秘匿情報の全部または一部としている。  図１に示す情報記録媒体を有する物品においては、この光反射層１２４を印刷物の基材１１に接着する接着層１２５を具備しているが、このように印刷物の基材１１と光反射層１２４との間に他の層が介在しても構わない。なお、図１において、１２３は光反射層１２４を傷や汚れから保護する保護層である。
【００１７】
図２〜図６は、本発明の一実施例としての情報記録媒体を備えた物品の形態を示したものである。図中１３は、紫外光あるいは赤外光に吸収性を有するインキの塗布部分である。また、図３は、本発明における情報記録媒体の形態を示したものであり、１４は、紫外光あるいは赤外光の吸収層であり、この吸収層が接着層１５を介して情報記録媒体の裏面に接着している。図４は、図３で示した情報記録媒体を印刷物の基材１１にのせたものである。図５は、情報記録媒体の接着層１２５として紫外光あるいは赤外光の吸収するものを使用し、印刷物の基材１１と接着させている。図６は、印刷物の基材１１そのものに紫外光あるいは赤外光の吸収性をもたせている。
【００１８】
また、図７の斜視図に示すように、情報記録媒体１２表面は多数の領域に区分されており、この領域のそれぞれに回折格子要素１２ａ，１２ｂ，‥が配置されている。そして、この回折格子要素１２ａ，１２ｂ，‥は前記回折格子から構成されており、これら多数の回折格子要素１２ａ，１２ｂ，‥のうち少なくとも一部の回折格子要素１２ａが、前記秘匿情報の全部または一部を保持している。他の回折格子要素１２ｘ，１２ｙ，‥はダミーであって、秘匿情報を保持することのないものである。そして、このダミーの回折格子要素１２ｘ，１２ｙ，‥を混在させることによって、秘匿情報を保持する回折格子要素１２ａの存否及びその位置を隠している。なお、このダミーの回折格子要素１２ｘ，１２ｙ，‥を含めてこれら多数の回折格子要素１２ａ，１２ｂ，‥のそれぞれを画素とし、その全体で可視画像を構成した場合には、角度によって色彩や画像が変化する美麗な可視画像を表示して、この美麗な可視画像中に秘匿情報を紛れ込ませることが可能となり、その存否及び位置の発見を一層困難とすることができる。また、情報記録媒体１２の背面にある印刷物の基材１１に色や柄を盛り込むことにより、秘匿情報をカムフラージュでき、より一層のセキュリティ効果をもたせることができる。
【００１９】
秘匿情報の読み取り方法を図面を用いて説明する。秘匿情報を保持する回折格子要素１２ａに対し、特定の光源２から照射光を照射し、これに応答して発生した反射回折光の方向を検知して秘匿情報の有無及び内容を読みとることができる。光源２としては、紫外に波長域を持つ面光源を使用する必要がある。反射回折光の検知は、例えば予め予定されていた位置に紫外対応のセンサーを配置しておくことによって可能である（図８参照）。ま
た、予め予定された位置に蛍光を発する投影スクリーン３を配置して前記回折光をこのスクリーンに射出させ、こうして得られた光点の有無をカメラなどで撮影することも可能である。また、反射回折光を、蛍光を発する投影スクリーン上に画像上に集光させ、得られた画像を撮影して秘匿情報を読み取ることも可能である。
【００２０】
また、秘匿情報の一部を保持する回折格子要素１２ａ，１２ｂ，‥を複数設けて、これら複数の回折格子要素１２ａ，１２ｂ，‥の反射回折光の全体で秘匿情報の全部を構成することも可能である。この場合には、予め設置されている紫外対応カメラの像面上に、複数の回折格子要素１２ａ，１２ｂ，‥の反射回折光を射出させることで秘匿情報を検知することが可能となる。また、カメラの像面に相当する位置に蛍光を発する投影スクリーンを設置し、この上に反射回折光を射出させ、こうして得られた光点の有無をカメラなどで撮影することで秘匿情報を検知することも可能である。図９は、秘匿情報の一部を保持する回折格子要素として、１２ａ，１２ｂ，１２ｃ、及び１２ｄの４個の回折格子要素を利用し、同一の面光源２からの照射光に応答して出射した４本の反射回折光を蛍光の投影スクリーン３に照射せしめ、この光点をカメラ４などで撮影する方法を示す説明図である。図中、５はＣＰＵなどの判断手段を示している。
【００２１】
また、これら複数の回折格子要素１２ａ，１２ｂ，‥のそれぞれに対し異なる方向に配置された面光源から読み取り光を照射することによって秘匿情報を再現することもできる。すなわち、これら複数の回折格子要素のうち、一部の回折格子要素１２ａ，１２ｂに対し特定の光源２１から光照射して前記秘匿情報の一部を再現し、他の回折格子要素１２ｃ，１２ｄに対し前記特定の光源２１とは異なる方向に配置された紫外光源２２から光照射して前記秘匿情報の一部を再現する。図１０は、この様子を示す説明図で、回折格子要素１２ａ及び１２ｂに対し光源２１から読み取り光を照射し、他方、回折格子要素１２ｃ及び１２ｄに対し光源２２から読み取り光を照射して反射回折光を発生させている。なお、これら回折格子要素１２ａ，１２ｂ，１２ｃ，１２ｄからの反射回折光は、いずれも、蛍光を発する投影スクリーン３に照射されており、レンズ６を介してカメラ４で撮影されている。なお、図中、７１及び７２は、光源２１と２２の切り替えのための切り替え手段である。
【図面の簡単な説明】
【００２２】
【図１】本発明の一実施例としての情報記録媒体を備えた物品の模式断面図である。
【図２】本発明の一実施例としての情報記録媒体を備えた物品の模式断面図である。
【図３】本発明における情報記録媒体の一例を示す模式断面図である。
【図４】本発明の一実施例としての情報記録媒体を備えた物品の模式断面図である。
【図５】本発明の一実施例としての情報記録媒体を備えた物品の模式断面図である。
【図６】本発明の一実施例としての情報記録媒体を備えた物品の模式断面図である。
【図７】本発明の一実施例としての情報記録媒体を備えた物品に一例を示す模式斜視図である。
【図８】本発明における秘匿情報の読取方法の一例を示す説明図である。
【図９】本発明における秘匿情報の読取方法の他の例を示す説明図である。
【図１０】本発明における秘匿情報の読取方法のさらに別の例を示す説明図である。
【符号の説明】
【００２３】
１‥情報記録媒体を備えた物品
１１‥印刷物の基材
１２‥情報記録媒体
１２４‥光反射層
１２ａ，１２ｂ，１２ｃ，１２ｄ‥秘匿情報を保持する回折格子要素
１２ｘ，１２ｙ‥ダミーの回折格子要素
２，２１，２２‥紫外に波長域を持つ光源
３‥紫外対応カメラの像面
４‥紫外対応カメラ
６‥レンズ
７‥蛍光を発する投影スクリーン
８‥カメラ
【図１】
2007196608.tif 000003
【図２】
2007196608.tif 000004
【図３】
2007196608.tif 000005
【図４】
2007196608.tif 000006
【図５】
2007196608.tif 000007
【図６】
2007196608.tif 000008
【図７】
2007196608.tif 000009
【図８】
2007196608.tif 000010
【図９】
2007196608.tif 000011
【図１０】
2007196608.tif 000012